【手続補正書】
【提出日】平成29年8月29日(2017.8.29)
【手続補正１】
【補正対象書類名】明細書
【補正対象項目名】０００８
【補正方法】変更
【補正の内容】
【０００８】
第１の発明に係る印刷装置は、シート状の対象物に印刷を行う印刷装置であって、対象物が載置される載置面を有するテーブルと、テーブルを載置面に平行な一方向に移動させる移動駆動部と、インクを保持可能な外周面を有する転写ローラと、転写ローラを回転させる回転駆動部と、対象物に転写されたインクパターンの一方向の長さを測定するパターン測定部と、転写ローラの外周面が対象物に接触する状態で転写ローラに保持されたインクがテーブル上の対象物にインクパターンとして転写されるように移動駆動部および回転駆動部を制御する制御部とを備え、制御部は、転写ローラの周速度とテーブルの移動速度との差を調整可能に構成されるとともに、対象物としての第１の対象物へのインクパターンの転写時に、転写ローラの周速度とテーブルの移動速度との差を第１の速度差に制御する第１の制御と、第１の対象物に転写されたインクパターンの長さを測定するようにパターン測定部を制御する第２の制御と、対象物としての第２の対象物へのインクパターンの転写時に、転写ローラの周速度とテーブルの移動速度との差を第２の速度差に制御する第３の制御とを実行可能に構成され、第２の速度差は、第２の制御により測定された長さと予め定められた目標値との誤差に基づいて、第２の対象物へ転写されることになるインクパターンの長さと目標値との誤差が０となりまたは０に近づくように決定される。
【手続補正２】
【補正対象書類名】明細書
【補正対象項目名】００１０
【補正方法】変更
【補正の内容】
【００１０】
上記の構成によれば、転写ローラの周速度とテーブルの移動速度との差を調整することができる。それにより、対象物に印刷されるインクパターンの寸法を設計寸法等の目標値と一致させることまたは目標値に近づけることができる。したがって、所望のインクパターンを高い精度で対象物に印刷することが可能になる。
さらに、第１の対象物へのインクパターンの転写時に、転写ローラの周速度とテーブルの移動速度との差が第１の速度差に制御される。また、第１の対象物に転写されたインクパターンの一方向の長さがパターン測定部により測定される。測定された長さと目標値との誤差に基づいて第２の速度差が決定される。
第２の対象物へのインクパターンの転写時には、転写ローラの周速度とテーブルの移動速度との差が第２の速度差に制御される。それにより、転写ローラから第２の対象物へ転写されるインクパターンの長さと目標値との誤差が０になるかまたは０に近づく。
そのため、第１の対象物に転写されるインクパターンに比べて、第２の対象物に転写されるインクパターンの精度が高くなる。したがって、第１、第２および第３の制御が繰り返されることにより、対象物に転写されるインクパターンの精度が向上する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００２４
【補正方法】変更
【補正の内容】
【００２４】
第２の発明に係る印刷方法は、シート状の対象物に印刷を行う印刷方法であって、対象物が載置されたテーブルを一方向に移動させるステップと、インクを保持する外周面を有する転写ローラを回転させるステップと、回転される転写ローラの外周面と一方向に移動される対象物とを接触させることにより転写ローラの外周面に保持されたインクを対象物にインクパターンとして転写するステップと、転写するステップにおける転写ローラの周速度とテーブルの移動速度との差を調整するステップとを備え、調整するステップは、対象物としての第１の対象物へのインクパターンの転写時に、転写ローラの周速度とテーブルの移動速度との差を第１の速度差に制御する第１のステップと、第１の対象物に転写されたインクパターンの一方向の長さを測定する第２のステップと、第２のステップの後、対象物としての第２の対象物へのインクパターンの転写時に、転写ローラの周速度とテーブルの移動速度との差を第２の速度差に制御する第３のステップとを含み、第２の速度差は、第２のステップにより測定された長さと予め定められた目標値との誤差に基づいて、第２の対象物へ転写されることになるインクパターンの長さと目標値との誤差が０となりまたは０に近づくように決定される。
【手続補正８】
【補正対象書類名】明細書
【補正対象項目名】００２７
【補正方法】変更
【補正の内容】
【００２７】
調整するステップは、対象物としての第１の対象物へのインクパターンの転写時に、転写ローラの周速度とテーブルの移動速度との差を第１の速度差に制御する第１のステップと、第１の対象物に転写されたインクパターンの一方向の長さを測定する第２のステップと、第２のステップの後、対象物としての第２の対象物へのインクパターンの転写時に、転写ローラの周速度とテーブルの移動速度との差を第２の速度差に制御する第３のステップとを含み、第２の速度差は、第２のステップにより測定された長さと予め定められた目標値との誤差に基づいて、第２の対象物へ転写されることになるインクパターンの長さと目標値との誤差が０となりまたは０に近づくように決定される。
【手続補正９】
【補正対象書類名】明細書
【補正対象項目名】０１２３
【補正方法】変更
【補正の内容】
【０１２３】
請求項の各構成要素として、請求項に記載されている構成または機能を有する他の種々の構成要素を用いることもできる。
［８］参考形態
第１の参考形態に係る印刷装置は、シート状の対象物に印刷を行う印刷装置であって、対象物が載置される載置面を有するテーブルと、テーブルを載置面に平行な一方向に移動させる移動駆動部と、インクを保持可能な外周面を有する転写ローラと、転写ローラを回転させる回転駆動部と、転写ローラの外周面が対象物に接触する状態で転写ローラに保持されたインクがテーブル上の対象物にインクパターンとして転写されるように移動駆動部および回転駆動部を制御する制御部とを備え、制御部は、転写ローラの周速度とテーブルの移動速度との差を調整可能に構成される。
その印刷装置においては、テーブルの載置面上に対象物が載置され、転写ローラの外周面にインクが保持される。転写ローラの外周面が対象物に接触する状態で転写ローラに保持されたインクがテーブル上の対象物にインクパターンとして転写される。
上記の構成によれば、転写ローラの周速度とテーブルの移動速度との差を調整することができる。それにより、対象物に印刷されるインクパターンの寸法を設計寸法等の目標値と一致させることまたは目標値に近づけることができる。したがって、所望のインクパターンを高い精度で対象物に印刷することが可能になる。
第２の参考形態に係る印刷方法は、シート状の対象物に印刷を行う印刷方法であって、対象物が載置されたテーブルを一方向に移動させるステップと、インクを保持する外周面を有する転写ローラを回転させるステップと、回転される転写ローラの外周面と一方向に移動される対象物とを接触させることにより転写ローラの外周面に保持されたインクを対象物にインクパターンとして転写するステップと、転写するステップにおける転写ローラの周速度とテーブルの移動速度との差を調整するステップとを備える。
その印刷方法においては、回転される転写ローラの外周面と一方向に移動される対象物とが接触されることにより、転写ローラの外周面に保持されたインクが対象物にインクパターンとして転写される。
上記の構成によれば、転写ローラの周速度とテーブルの移動速度との差を調整することができる。それにより、対象物に印刷されるインクパターンの寸法を設計寸法等の目標値と一致させることまたは目標値に近づけることができる。したがって、所望のインクパターンを高い精度で対象物に印刷することが可能になる。
【手続補正１０】
【補正対象書類名】特許請求の範囲
【補正対象項目名】全文
【補正方法】変更
【補正の内容】
【特許請求の範囲】
【請求項１】
シート状の対象物に印刷を行う印刷装置であって、
前記対象物が載置される載置面を有するテーブルと、
前記テーブルを前記載置面に平行な一方向に移動させる移動駆動部と、
インクを保持可能な外周面を有する転写ローラと、
前記転写ローラを回転させる回転駆動部と、
前記対象物に転写されたインクパターンの前記一方向の長さを測定するパターン測定部と、
前記転写ローラの前記外周面が前記対象物に接触する状態で前記転写ローラに保持されたインクが前記テーブル上の前記対象物にインクパターンとして転写されるように前記移動駆動部および前記回転駆動部を制御する制御部とを備え、
前記制御部は、
前記転写ローラの周速度と前記テーブルの移動速度との差を調整可能に構成されるとともに、
前記対象物としての第１の対象物へのインクパターンの転写時に、前記転写ローラの周速度と前記テーブルの移動速度との差を第１の速度差に制御する第１の制御と、
前記第１の対象物に転写されたインクパターンの長さを測定するように前記パターン測定部を制御する第２の制御と、
前記対象物としての第２の対象物へのインクパターンの転写時に、前記転写ローラの周速度と前記テーブルの移動速度との差を第２の速度差に制御する第３の制御とを実行可能に構成され、
前記第２の速度差は、前記第２の制御により測定された長さと予め定められた目標値との誤差に基づいて、前記第２の対象物へ転写されることになるインクパターンの長さと前記目標値との誤差が０となりまたは０に近づくように決定される、印刷装置。
【請求項２】
前記制御部は、前記移動駆動部および前記回転駆動部をそれぞれ独立制御可能に構成される、請求項１記載の印刷装置。
【請求項３】
前記制御部は、前記第２の制御により測定された長さが前記目標値よりも小さい場合に前記転写ローラの周速度が前記テーブルの移動速度よりも小さくなるように前記第２の速度差を決定し、前記第２の制御により測定された長さが前記目標値よりも大きい場合に前記転写ローラの周速度が前記テーブルの移動速度よりも大きくなるように前記第２の速度差を決定する、請求項１または２記載の印刷装置。
【請求項４】
前記一方向における前記テーブルの位置を検出するためのテーブル位置検出部をさらに備え、
前記テーブル位置検出部は、
前記一方向に並びかつ前記一方向に延びるように配置される複数のリニアスケールと、
前記テーブルとともに移動するとともに各リニアスケールを検出可能に構成された第１および第２の検出部と、
前記第１および第２の検出部の少なくとも一方による前記複数のリニアスケールのいずれかの検出に基づいて前記テーブルの位置を算出する位置算出部とを含み、
前記第１および第２の検出部の少なくとも一方が前記複数のリニアスケールのいずれかを検出することができるように、前記第１および第２の検出部は、前記一方向において離間するように配置される、請求項１〜３のいずれか一項に記載の印刷装置。
【請求項５】
前記対象物に転写されるインクパターンは、前記一方向に並ぶ第１および第２の基準パターンを含み、
前記パターン測定部は、
前記第１および第２の基準パターンを検出する基準パターン検出部と、
前記第１および第２の基準パターン間の距離をインクパターンの前記一方向の長さとして算出する距離算出部とを含み、
前記基準パターン検出部は、前記テーブルが前記一方向に移動することにより前記第１および第２の基準パターンが通過する軌道上の固定位置に検出領域を有し、
前記距離算出部は、前記第１の基準パターンが検出されるときに前記テーブル位置検出部により検出される前記テーブルの第１の位置と前記第２の基準パターンが検出されるときに前記テーブル位置検出部により検出される前記テーブルの第２の位置とに基づいて、前記第１および第２の基準パターン間の距離を算出する、請求項４記載の印刷装置。
【請求項６】
シート状の対象物に印刷を行う印刷方法であって、
前記対象物が載置されたテーブルを一方向に移動させるステップと、
インクを保持する外周面を有する転写ローラを回転させるステップと、
回転される前記転写ローラの外周面と前記一方向に移動される前記対象物とを接触させることにより前記転写ローラの外周面に保持されたインクを前記対象物にインクパターンとして転写するステップと、
前記転写するステップにおける前記転写ローラの周速度と前記テーブルの移動速度との差を調整するステップとを備え、
前記調整するステップは、
前記対象物としての第１の対象物へのインクパターンの転写時に、前記転写ローラの周速度と前記テーブルの移動速度との差を第１の速度差に制御する第１のステップと、
前記第１の対象物に転写されたインクパターンの前記一方向の長さを測定する第２のステップと、
前記第２のステップの後、前記対象物としての第２の対象物へのインクパターンの転写時に、前記転写ローラの周速度と前記テーブルの移動速度との差を第２の速度差に制御する第３のステップとを含み、
前記第２の速度差は、前記第２のステップにより測定された長さと予め定められた目標値との誤差に基づいて、前記第２の対象物へ転写されることになるインクパターンの長さと前記目標値との誤差が０となりまたは０に近づくように決定される、印刷方法。
【請求項７】
前記テーブルを一方向に移動させるステップは、
前記一方向に移動する前記テーブルの位置を検出するステップと、
検出された前記テーブルの位置に基づいて前記テーブルの移動距離を調整するステップとを含み、
前記テーブルの位置を検出するステップは、
前記一方向に並びかつ前記一方向に延びるように配置される複数のリニアスケールのいずれかを、前記一方向において離間するように配置された第１および第２の検出部の少なくとも一方により検出するステップと、
前記第１および第２の検出部の少なくとも一方による前記複数のリニアスケールのいずれかの検出に基づいて前記テーブルの位置を算出するステップとを含む、請求項６記載の印刷方法。